(57)【特許請求の範囲】
【請求項１】
観賞魚用水槽の上面開口を形成する前両側壁板の左側壁板部の上端部に下側へ開放して貫通した溝部で係脱可能な取付部を有し、この取付部の前記観賞魚用水槽内に位置する部分に左側ガラス蓋の右側端部を支持する支持部を設けた左側ガラス蓋支持補助具と、前記観賞魚用水槽の上面開口を形成する前記前両側壁板の右側壁板部の上端部に下側へ開放して貫通した溝部で係脱可能な取付部を有し、この取付部の前記観賞魚用水槽内に位置する部分に右側ガラス蓋の左側端部を支持する支持部を設けた右側ガラス蓋支持補助具とともに使用して、前記左、右側ガラス蓋の端部を支持する観賞魚用水槽におけるガラス蓋支持具であって、
前記観賞魚用水槽の上面開口を形成する前記前両側壁板の前壁板部の上端部と後ろ壁板の上端部とに下側へ開放して貫通した溝部で係脱可能な２つの取付部を直線部で連結し、この直線部の両側に前記左側ガラス蓋の右側端部および前記右側ガラス蓋の左側端部を支持する支持部を設け、前記前壁板部と前記後ろ壁板とに渡設可能にした、
ことを特徴とする観賞魚用水槽におけるガラス蓋支持具。
【発明の詳細な説明】
【０００１】
【発明の属する技術分野】
この発明は、観賞魚用水槽の開口上面を閉塞するガラス蓋を支持するための観賞魚用水槽におけるガラス蓋支持具に関するものである。
【０００２】
【従来の技術】
ガラス蓋を支持するための支持部を観賞魚用水槽の上枠に渡設させて一体的に形成することは従来から広く知られている。
そして、この支持部はガラス蓋を支持する機能を有し、また、観賞魚用水槽を補強する機能をも有している。
【０００３】
【発明が解決しようとする課題】
昨今においては、観賞魚用水槽、照明具、各種アクセサリー、濾過器などがセット販売されることが多い。
そして、セット販売形態を採用する場合、サイズ的に最も大きく、かつ、上面が開口した観賞魚用水槽の中に照明具、アクセサリー、濾過器などを収容するのが一般的である。
しかし、従来のように観賞魚用水槽の上枠に一体的に支持部を渡設させると、長尺な照明具などを観賞魚用水槽の中にうまく収容させることができず、セット自体が嵩張り、陳列や輸送に支障をきたす場合がある。
【０００４】
この発明は、上記したような不都合を解消するためになされたもので、長尺な照明具などを観賞魚用水槽の中にうまく収容させることができ、セット自体が嵩張らず、陳列や輸送に支障をきたすことのない観賞魚用水槽におけるガラス蓋支持具を提供するものである。
【０００５】
【課題を解決するための手段】
この発明は、観賞魚用水槽の上面開口を形成する前両側壁板の左側壁板部の上端部に下側へ開放して貫通した溝部で係脱可能な取付部を有し、この取付部の観賞魚用水槽内に位置する部分に左側ガラス蓋の右側端部を支持する支持部を設けた左側ガラス蓋支持補助具と、観賞魚用水槽の上面開口を形成する前両側壁板の右側壁板部の上端部に下側へ開放して貫通した溝部で係脱可能な取付部を有し、この取付部の観賞魚用水槽内に位置する部分に右側ガラス蓋の左側端部を支持する支持部を設けた右側ガラス蓋支持補助具とともに使用して、左、右側ガラス蓋の端部を支持する観賞魚用水槽におけるガラス蓋支持具であって、観賞魚用水槽の上面開口を形成する前両側壁板の前壁板部の上端部と後ろ壁板の上端部とに下側へ開放して貫通した溝部で係脱可能な２つの取付部を直線部で連結し、この直線部の両側に左側ガラス蓋の右側端部および右側ガラス蓋の左側端部を支持する支持部を設け、前壁板部と後ろ壁板とに渡設可能にしたものである。
【０００６】
【発明の実施の形態】
以下、この発明の実施形態を図に基づいて説明する。
図１はこの発明の一実施形態を示す斜視図、図２は図１に示すガラス蓋支持具を取り付けた観賞魚用水槽の平面図、図３は図２のＡ−Ａ線による一部を省略した断面図、図４は図２のＢ−Ｂ線による部分断面図である。
【０００７】
これらの図において、１は観賞魚用水槽を示し、底部２と、この底部２の後ろ側の左右に一体的に上下方向へ設けられた支柱３，４と、支柱３から支柱４へ平面形状で略コ字状に前方へ突出して底部２上に配設される前両側壁板５と、支柱３と支柱４との間を直線的に結ぶように底部２上に配設された後ろ壁板６とで構成されている。
なお、前両側壁板５および後ろ壁板６は透明とされ、底部２と前両側壁板５および後ろ壁板６との接続部分、支柱３，４と前両側壁板５および後ろ壁板６との接続部分は水密構造とされている。
【０００８】
１１はガラス蓋支持具を示し、直線部１２と、この直線部１２の前後に連設された取付部１５，１７とで構成されている。
そして、直線部１２の左右には、後述するガラス蓋３１を支持する支持部が段差部１３，１４として長手方向に沿って、すなわち前後方向に設けられている。
また、取付部１５には、後ろ壁板６と対向する前両側壁板５に係脱可能な下側へ開放して左右に貫通する溝部１６が設けられている。
さらに、取付部１７には、後ろ壁板６に係脱可能な下側へ開放して左右に貫通する溝部１８が設けられている。
【０００９】
２１はガラス蓋支持補助具を示し、取付部２２と、この取付部２２の一側面に連設された支持部２４とで構成されている。
そして、取付部２２には、前両側壁板５の左右の対向する部分に係脱可能な下側へ開放して前後に貫通する溝部２３が設けられている。
なお、支持部２４は、取付部２２の長手方向へ沿って、すなわち前後方向へ水平に突出させて設けられている。
３１は観賞魚用水槽１の上面を覆うガラス蓋を示す。
【００１０】
次に、ガラス蓋支持具の取付、ガラス蓋支持補助具の取付、ガラス蓋の取付について説明する。
まず、ガラス蓋支持具１１の取付について説明すると、図２および図４に示すように、溝部１６内へ前両側壁板５の一部を挿入するとともに、溝部１８内へ後ろ壁板６の一部を挿入し、ガラス蓋支持具１１を前両側壁板５と後ろ壁板６とに差し渡すことにより、ガラス蓋支持具１１の取付が完了する。
【００１１】
次に、ガラス蓋支持補助具２１の取付について説明すると、図２および図３に示すように、支持部２４を観賞魚用水槽１の内側にして溝部２３内へ前両側壁板５の一部を挿入することにより、左右のガラス蓋支持補助具２１の取付が完了する。
【００１２】
次に、ガラス蓋３１の取付について説明すると、上述したようにガラス蓋支持具１１およびガラス蓋支持補助具２１を取り付けた後、ガラス蓋３１の右端を段差部１３に載せ、ガラス蓋３１の左端を左側のガラス支持補助具２１の支持部２４に載せることにより、観賞魚用水槽１の上面の左側を閉塞することができる。
また、別のガラス蓋３１の左端を段差部１４に載せ、ガラス蓋３１の右端を右側のガラス支持補助具２１の支持部２４に載せることにより、観賞魚用水槽１の上面の右側を閉塞することができる。
【００１３】
この発明によれば、ガラス蓋支持具１１を観賞魚用水槽１の周壁に係脱可能な構成にしたので、長尺な照明具などを観賞魚用水槽１の中にうまく収容させることができるとともに、観賞魚用水槽１内のメンテナンスが容易にできる。
したがって、観賞魚用水槽１、照明具、各種アクセサリー、濾過器などをセットとした場合、セット自体が嵩張らず、陳列や輸送に支障をきたすことがなくなる。
【００１４】
なお、溝部１６，１８，２３内にパッキンを設けると、ガラス蓋支持具１１、ガラス蓋支持補助具２１をがたつかず、ずれないように密着性よく取り付けることができる。
さらに、ガラス蓋支持具１１を透明にすると、照明具からの光を遮ることがなくなるので、観賞魚の観賞に支障をきたすことはない。
【００１５】
【発明の効果】
以上のように、この発明によれば、左、右側ガラス蓋支持補助具とともに使用するガラス蓋支持具を、観賞魚用水槽の上面開口を形成する前両側壁板の前壁板部の上端部と後ろ壁板の上端部とに下側へ開放して貫通した溝部で係脱可能な２つの取付部を直線部で連結し、この直線部の両側に左側ガラス蓋の右側端部および右側ガラス蓋の左側端部を支持する支持部を設け、前壁板部と後ろ壁板とに渡設可能な構成にしたので、長尺な照明具などを観賞魚用水槽の中にうまく収容させることができるとともに、観賞魚用水槽内のメンテナンスが容易にできる。
したがって、観賞魚用水槽、照明具、各種アクセサリー、濾過器などをセットとした場合、セット自体が嵩張らず、陳列や輸送に支障をきたすことがなくなる。
【図面の簡単な説明】
【図１】この発明の一実施形態を示す斜視図である。
【図２】図１に示すガラス蓋支持具を取り付けた観賞魚用水槽の平面図である。
【図３】図２のＡ−Ａ線による一部を省略した断面図である。
【図４】図２のＢ−Ｂ線による部分断面図である。
【符号の説明】
１          観賞魚用水槽
３，４      支柱
５          前両側壁板
６          後ろ壁板
１１        ガラス蓋支持具
１２        直線部
１３，１４  段差部
１５，１７  取付部
１６，１８  溝部
２１        ガラス蓋支持補助具
２２        取付部
２３        溝部
２４        支持部
３１        ガラス蓋
【図１】
0003973743.tif 000002
【図２】
0003973743.tif 000003
【図３】
0003973743.tif 000004
【図４】
0003973743.tif 000005